(57)【要約】【課題】小型化を図りつつ、光変調装置を均一に冷却できるプロジェクターを提供すること。【解決手段】プロジェクターにおいて、冷却装置５は、投射レンズの側方に配設される冷却ファン５１と、一端側に冷却ファン５１が接続され、冷却ファン５１から吐出された空気を緑色光側の液晶パネル４５１Ｇに向けて他端側まで導くダクト５３とを備え、ダクト５３には、他端側に配置され、内部の空気を流出させる緑側冷却風流出口５３１Ａと、緑色光側の液晶パネル４５１Ｇへの入射光束の光軸に対して略平行に空気を流通させた後、緑側冷却風流出口５３１Ａを介して緑色光側の液晶パネル４５１Ｇに送風する第１ダクト部５３１とが設けられている。【選択図】図３
2010224226.tif 000002
【特許請求の範囲】
【請求項１】
入射光束を画像情報に応じて変調する複数の光変調装置と、前記複数の光変調装置にて変調された光束を投射する投射光学装置と、前記複数の光変調装置のうち前記投射光学装置に対向して配置される第１の光変調装置に空気を送風する冷却装置とを備えたプロジェクターであって、
前記冷却装置は、
前記投射光学装置の側方に配設される冷却ファンと、
一端側に前記冷却ファンが接続され、前記冷却ファンから吐出された空気を前記第１の光変調装置に向けて他端側まで導くダクトとを備え、
前記ダクトには、
前記他端側に配置され、内部の空気を流出させる第１の流出口と、
前記第１の光変調装置への入射光束の光軸に対して略平行に空気を流通させた後、前記第１の流出口を介して前記第１の光変調装置に送風する第１の送風部とが設けられている
ことを特徴とするプロジェクター。
【請求項２】
請求項１に記載のプロジェクターにおいて、
入射光束を光学的に変換する光学素子を備え、
前記ダクトは、
一端側が前記第１の送風部に連通し、前記第１の送風部を流通した空気の一部を前記光学素子に向けて導く第２の送風部と、
前記第２の送風部の他端側に配置され内部の空気を流出させる第２の流出口とを備え
前記第２の送風部は、前記光学素子への入射光束の光軸に対して略平行に空気を流通させた後、前記第２の流出口を介して前記光学素子に送風するように形成されている
ことを特徴とするプロジェクター。
【発明の詳細な説明】
【技術分野】
【０００１】
本発明は、プロジェクターに関する。
【背景技術】
【０００２】
従来、光源から射出された光束を画像情報に応じて変調する光変調装置、及び各光変調装置により変調された光束を合成して画像光を形成する色合成光学装置を有する光学装置と、形成された画像光を投射する投射光学装置とを備えるプロジェクターが知られている（例えば、特許文献１参照）。
特許文献１に記載のプロジェクターでは、プロジェクター外部から冷却空気を吸入して吐出する冷却ファンと、当該冷却ファンに接続されて光変調装置に冷却空気を吐出するダクトとを備えている。冷却ファンは、投射光学装置の側方のデッドスペースになりやすい位置に配設されており、プロジェクターの小型化を図っている。
ところで、光変調装置は、光源から射出された光束を変調する際、光束の一部を吸収する。光変調装置が光束の一部を吸収すると、光変調装置自体の温度が上昇し、過熱により損傷を生じるおそれがある。
【０００３】
ここで、冷却ファンから吐出される空気は、投射光学装置の投射方向に沿ってダクト内を辿った後、光変調装置への入射光束の光軸に直交する方向に流れて、光変調装置の光入射面及び光射出面に沿って流れる。これにより、光変調装置が冷却される。
【先行技術文献】
【特許文献】
【０００４】
【特許文献１】特開２００５−３３８２３６号公報
【発明の概要】
【発明が解決しようとする課題】
【０００５】
ところで、特許文献１に記載のプロジェクターでは、冷却ファンからダクトを介して吐出される空気は、光変調装置への入射光束の光軸に直交する方向に流れるので、光変調装置の光入射面及び光射出面に沿って流れるが、この際、当該光入射面及び光射出面に傾斜して沿うように流れることとなる。そのため、光変調装置の光入射面及び光射出面の一部に空気が流れないおそれがあり、光変調装置が均一に冷却されないという問題がある。
【０００６】
本発明の目的は、小型化を図りつつ、光変調装置を均一に冷却できるプロジェクターを提供することにある。
【課題を解決するための手段】
【０００７】
本発明のプロジェクターは、入射光束を画像情報に応じて変調する複数の光変調装置と、前記複数の光変調装置にて変調された光束を投射する投射光学装置と、前記複数の光変調装置のうち前記投射光学装置に対向して配置される第１の光変調装置に空気を送風する冷却装置とを備えたプロジェクターであって、前記冷却装置は、前記投射光学装置の側方に配設される冷却ファンと、一端側に前記冷却ファンが接続され、前記冷却ファンから吐出された空気を前記第１の光変調装置に向けて他端側まで導くダクトとを備え、前記ダクトには、前記他端側に配置され、内部の空気を流出させる第１の流出口と、前記第１の光変調装置への入射光束の光軸に対して略平行に空気を流通させた後、前記第１の流出口を介して前記第１の光変調装置に送風する第１の送風部とが設けられていることを特徴とする。
【０００８】
本発明では、冷却ファンが投射光学装置の側方に配設することで、各構成部材が配設されていない配設スペースを有効に活用でき、プロジェクターの小型化を図ることができる。
また、従来、光変調装置への入射光束の光軸に対して直交する方向に空気を流通させていたため、空気が光変調装置の光入射面及び光射出面に傾斜して流れていたが、本発明では、第１の送風部は、第１の光変調装置への入射光束の光軸に対して略平行に空気を流通させた後、第１の流出口を介して第１の光変調装置に送風する。そのため、冷却ファンから吐出された空気が第１の光変調装置の光入射面及び光射出面に略直交する方向から流れるので、第１の光変調装置に対して傾斜して流れることがない。従って、光変調装置に対して空気を均一に流すことができる。
【０００９】
本発明のプロジェクターでは、入射光束を光学的に変換する光学素子を備え、前記ダクトは、一端側が前記第１の送風部に連通し、前記第１の送風部を流通した空気の一部を前記光学素子に向けて導く第２の送風部と、前記第２の送風部の他端側に配置され内部の空気を流出させる第２の流出口とを備え前記第２の送風部は、前記光学素子への入射光束の光軸に対して略平行に空気を流通させた後、前記第２の流出口を介して前記光学素子に送風するように形成されていることが好ましい。
本発明では、第２の送風部は、光学素子への入射光束の光軸に対して略平行に空気を流通させた後、第２の流出口を介して光学素子に送風する。そのため、冷却ファンから吐出された空気が光学素子の光入射面及び光射出面に直交する方向から流れるので、光学素子に対して傾斜して流れることがない。従って、光学素子に対して空気を均一に流すことができる。
【図面の簡単な説明】
【００１０】
【図１】本発明の一実施形態に係るプロジェクターの概略構成を模式的に示す図。
【図２】前記実施形態における冷却装置、光学装置、及び偏光変換素子を模式的に示す斜視図。
【図３】図２における平面図。
【図４】前記冷却装置のみの平面図。
【図５】図２におけるＶ−Ｖ線断面図。
【図６】図３におけるＶＩ−ＶＩ線断面図。
【発明を実施するための形態】
【００１１】
以下、本発明に係る一実施形態を図面に基づいて説明する。
［プロジェクターの構成］
図１は、プロジェクター１の概略構成を模式的に示す図である。
なお、以下では、プロジェクター１において投射側（投射レンズ３が配置された側）を「前面」とし、その反対側を「背面」とする。また、図１における図面視手前側を天面側、奥側を底面側とする。また、以下で記載する「左」、「右」は、プロジェクター１を天面が上側となるようにして、前面から見た時の左右に相当するものである。
プロジェクター１は、画像情報に応じた画像を形成してスクリーン（図示略）上に投射する。このプロジェクター１は、図１に示すように、略直方体状の外装筐体２と、投射光学装置としての投射レンズ３と、光学ユニット４と、プロジェクター１内部の各構成部材を冷却する冷却装置５と、具体的な図示を省略したが、プロジェクター１内部の各構成部材を制御する制御装置等とを備える。
【００１２】
外装筐体２は、全体略直方体形状を有し、本実施形態では合成樹脂により形成されている。この外装筐体２は、プロジェクター１の天面、前面、背面、及び側面をそれぞれ構成するアッパーケース、及びプロジェクター１の底面、前面、背面、及び側面をそれぞれ構成するロアーケース等で構成される。そして、各ケースは、互いにねじ等で固定されている。なお、外装筐体２は、合成樹脂等に限らず、その他の材料にて形成してもよく、例えば、金属等により構成してもよい。
投射レンズ３は、複数のレンズを組み合わせた組レンズとして構成され、光学ユニット４にて形成された画像光をスクリーン上に拡大投射する。
【００１３】
光学ユニット４は、前記制御装置による制御の下、光源から射出された光束を光学的に処理して画像情報に対応した画像光を形成する。この光学ユニット４は、図１に示すように、光源装置４１と、照明光学装置４２と、色分離光学装置４３と、リレー光学装置４４と、光学装置４５と、光源装置４１から射出された光束の照明光軸Ａが内部に設定された照明光軸Ａに対する所定位置に上述の各光学部品４１〜４５を収納する光学部品用筐体４６とを備える。
【００１４】
光源装置４１は、図１に示すように、光源４１１及びリフレクター４１２等を備える。
そして、光源装置４１は、光源４１１から射出された光束がリフレクター４１２によって射出方向が揃えられ、照明光学装置４２に向けて光束を射出する。
【００１５】
照明光学装置４２は、図１に示すように、第１レンズアレイ４２１、第２レンズアレイ４２２、他の光学素子としての偏光変換素子４２３、及び重畳レンズ４２４を備える。そして、光源装置４１から射出された光束は、第１レンズアレイ４２１によって複数の部分光束に分割され、第２レンズアレイ４２２の近傍で結像する。第２レンズアレイ４２２から射出された各部分光束は、その中心軸（主光線）が光学素子としての偏光変換素子４２３の入射面に垂直となるように入射し、偏光変換素子４２３にて略１種類の直線偏光光として射出される。偏光変換素子４２３から直線偏光光として射出され、重畳レンズ４２４を介した複数の部分光束は、光学装置４５の後述する複数の光学素子としての液晶パネル４５１上で重畳する。
【００１６】
色分離光学装置４３は、図１に示すように、２枚のダイクロイックミラー４３１，４３２、及び反射ミラー４３３を備え、これらのダイクロイックミラー４３１，４３２、反射ミラー４３３により照明光学装置４２から射出された複数の部分光束を赤、緑、青の３色の色光に分離する機能を有する。
リレー光学装置４４は、図１に示すように、入射側レンズ４４１、リレーレンズ４４３、及び反射ミラー４４２，４４４を備え、色分離光学装置４３で分離された色光、例えば、赤色光を光学装置４５の後述する赤色光側の液晶パネル４５１Ｒまで導く機能を有する。
【００１７】
光学装置４５は、入射した光束を画像情報に応じて変調して画像光を形成する。この光学装置４５は、図１に示すように、３つの光変調装置としての液晶パネル４５１（赤色光側の液晶パネルを４５１Ｒ、第１の光変調装置としての緑色光側の液晶パネルを４５１Ｇ、青色光側の液晶パネルを４５１Ｂとする）と、各液晶パネル４５１の光路前段側に配置される入射側偏光板４５２と、各液晶パネル４５１の光路後段側に配置される射出側偏光板４５３と、色合成光学装置としてのクロスダイクロイックプリズム４５４とを備える。
【００１８】
３つの入射側偏光板４５２は、色分離光学装置４３で分離された各光束のうち、偏光変換素子４２３で揃えられた偏光方向と略同一の偏光方向を有する偏光光のみ透過させ、その他の光束を吸収するものであり、透光性基板上に偏光膜が貼付されて構成されている。
３つの射出側偏光板４５３は、入射側偏光板４５２と略同様の機能を有し、液晶パネル４５１を介して射出された光束のうち、一定方向の偏光光を透過し、その他の光束を吸収する。
【００１９】
クロスダイクロイックプリズム４５４は、射出側偏光板４５３から射出された色光毎に変調された各色光を合成してカラー画像を形成する。このクロスダイクロイックプリズム４５４は、４つの直角プリズムを貼り合わせた平面視略正方形状をなし、直角プリズム同士を貼り合わせた界面には、２つの誘電体多層膜が形成されている。これら誘電体多層膜は、液晶パネル４５１Ｇから射出され射出側偏光板４５３を介した色光を透過し、液晶パネル４５１Ｒ，４５１Ｂから射出され各射出側偏光板４５３を介した各色光を反射する。このようにして、各色光が合成されて画像光が形成される。
【００２０】
［冷却装置の構成］
図２は、本実施形態に冷却装置５を模式的に示す斜視図であり、具体的には、冷却装置５に光学装置４５、及び偏光変換素子４２３が配置された状態を背面側から見た斜視図である。なお、説明の便宜上、入射側偏光板４５２及び射出側偏光板４５３の図示を省略する。
図３は、図２の天面側から見た平面図である。
冷却装置５は、液晶パネル４５１、入射側偏光板４５２、及び偏光変換素子４２３に対して冷却空気を送風するものであり、冷却ファン５１，５２と、ダクト５３とを備えている。
【００２１】
［冷却ファンの構成］
冷却ファン５１，５２は、図１に示すように、投射レンズ３の右側面側に配設され、図２、３に示すように、シロッコファンで構成される。また、冷却ファン５１，５２は、空気を吸入する吸入口５１１，５２１（図５参照）と、空気を吐出する吐出口５１２，５２２とを備えている。外装筺体１の側面には吸気口６が備えられており、吸気口６からプロジェクター１の外部の空気が冷却ファン５１，５２の吸入口５１１，５１２に吸入される。
冷却ファン５１は、吸気口６から外部の空気を吸入し、冷却対象である各液晶パネル４５１、入射側偏光板４５２（図１参照）、及び偏光変換素子４２３（図１参照）に対してダクト５３を介して吐出する。
冷却ファン５２も同様に、吸気口６から外部の空気を吸入し、冷却対象である各液晶パネル４５１及び入射側偏光板４５２に対してダクト５３を介して吐出する。
冷却ファン５１は吸気口６に対して吸入口５１１が対向するように配置されているが、冷却ファン５２は吸気口６に対して空気の吐出方向が冷却ファン５１を向くように傾斜して配置されている。冷却ファン５２は冷却ファン５１よりプロジェクター１の内側に配置され、吸気口６側から見た時に一部が冷却ファン５１と重なっているが、冷却ファン５２を傾斜して配置することによってより多くの空気を導入できる。
【００２２】
［ダクトの構成］
図４は、冷却装置５の平面図であり、具体的には、図２中の光学装置４５、及び偏光変換素子４２３を取り外した状態を平面視した図である。
図５は、図２におけるＶ−Ｖ線断面図であり、図５中の矢印Ｇ１〜Ｇ３は、冷却空気の流れを示している。
ダクト５３は、図２ないし図４に示すように、平面視略Ｕ字状に形成された第１の送風部としての第１ダクト部５３１と、平面視略直線状に形成された第２の送風部としての第２ダクト部５３２と、平面視湾曲状に形成された第３ダクト部５３３とを備え、一体形成されている。これら各ダクト部５３１〜５３３は、底面側が開口した容器形状を有し、開口部分が図示しない外装筐体２の底面部にて閉塞されるように当該底面部に取り付けられる。
【００２３】
［第１ダクト部の構成］
第１ダクト部５３１は、図２ないし図４に示すように、一端側が冷却ファン５１の吐出口５１２に接続する。また、第１ダクト部５３１は一端側から背面側に延出し、光源装置４１から射出される光束Ａと交差する場所で略直角に方向が曲げられ、光源装置４１から射出される光束の光軸Ａに沿った方向に進み、液晶パネル４５１Ｇへの入射光束の光軸Ｂと交差する場所で、さらに光軸Ｂに沿った方向に略直角に曲げられて、緑色光側の液晶パネル４５１Ｇに空気を流出させる到達ように形成されている。よって、冷却ファン５１から吐出された空気は平面視略Ｕ字状に形成されたダクトにより、液晶パネル４５１Ｇの光入射面及び光射出面に略直交する方向から流れることになる。また、第１ダクト部５３１の光軸Ａに沿う部分では、液晶パネル４５１Ｇに近づくに従ってダクトの断面積が減少するように形成されており、液晶パネル４５１Ｇを冷却するのに必要な範囲に第１ダクト部５３１の幅を合わせるとともに冷却空気の風速を高めている。また、液晶パネル４５１Ｇの光入射面及び光射出面に略直交する方向に冷却空気の流れを曲げる前に冷却空気を調整することにより冷却空気の流れが乱れるのを防止することができる。
第１ダクト部５３１の他端側は、第３ダクト部５３３に背面側から当接しており、天面側には、前後方向に沿って並設されて構成される第１の流出口としての緑側冷却用流出口５３１Ａが形成されている。
【００２４】
緑側冷却用流出口５３１Ａは、図２ないし図４に示すように、前面側から第１流出口５３１Ａ１と、第２流出口５３１Ａ２と、第３流出口５３１Ａ３とを備えている。第１流出口５３１Ａ１と第２流出口５３１Ａ２とは、図５に示すように、断面視略コ字状の整流板１１で仕切られている。また、第２流出口５３１Ａ２と第３流出口５３１Ａ３とは、図５に示すように、整流板１２で仕切られている。
整流板１１は、冷却空気Ｇ１，Ｇ２を分流し、整流板１１には、図５に示すように、背面側に突出する整流リブ１１１が形成されている。整流リブ１１１は、冷却空気Ｇ２の整流効果を高めるものである。
整流板１２は、冷却空気Ｇ２，Ｇ３を分流する部分である。
【００２５】
第１流出口５３１Ａ１は、図５に示すように、整流板１１により分流された冷却空気Ｇ１を緑色光側の液晶パネル４５１Ｇの光射出面に上方向に沿って流出する（図５中の矢印Ｇ１）。
第２流出口５３１Ａ２は、図５に示すように、整流リブ１１１及び整流板１２により分流された冷却空気Ｇ２を緑色光側の液晶パネル４５１Ｇの光入射面、及び入射側偏光板４５２の光射出面に上方向に沿って流出する（図５中の矢印Ｇ２）。
第３流出口５３１Ａ３は、図５に示すように、整流板１２により分流された冷却空気Ｇ３を入射側偏光板４５２（図１参照）の光入射面に上方向に沿って流出する（図５中の矢印Ｇ３）。
【００２６】
［第２ダクト部の構成］
図６は、図２におけるＶＩ−ＶＩ線断面図であり、図６中の矢印Ｐ１、Ｐ２、Ｒ１〜Ｒ３、Ｂ１、Ｂ２は、冷却空気の流れを示している。
第２ダクト部５３２は、第１ダクト部５３１を流通する空気の一部を偏光変換素子４２３に導く。この第２ダクト部５３２は、図２ないし図４に示すように、第１ダクト部５３１から左側面側に向って延出し、照明光軸Ａに沿って配置されている。第２ダクト部５３１の一端側は、第１ダクト部５３１に連通し、他端の天面側には、偏光変換素子４２３に空気を流出させるための左右方向に沿って並設されて構成される第２の流出口としての流出口５３２Ａが形成されている。
【００２７】
流出口５３２Ａは、図２ないし図４に示すように、左側面側から第１流出口５３２Ａ１と、第２流出口５３２Ａ２とを備えている。第１流出口５３２Ａ１と第２流出口５３２Ａ２とは、図６に示すように、断面視略Ｕ字状の整流板１３で仕切られている。
整流板１３は、冷却空気Ｐ１，Ｐ２を分流する部分である。
第１流出口５３２Ａ１は、図６に示すように、整流板１３により分流された冷却空気Ｐ１を偏光変換素子４２３の光入射面に上方向に沿って流出する（図６中の矢印Ｐ１）。
第２流出口５３２Ａ２は、図６に示すように、整流板１３により分流された冷却空気Ｐ２を偏光変換素子４２３の光射出面に上方向に沿って流出する（図６中の矢印Ｐ２）。
【００２８】
［第３ダクト部の構成］
第３ダクト部５３３は、図２ないし図４に示すように、光学装置４５の底面側を通って配置されている。第３ダクト部５３３の一端側には、冷却ファン５２が接続されている。前述の通り、冷却ファン５２は吸気口６に対して傾斜して配置されているため、赤色光側の液晶パネル４５１Ｒおよび青色光側の液晶パネル４５１Ｂに略直交する方向から冷却空気が流れるようにするために、第３ダクト部５３３は緩やかに冷却空気の流れる方向を左右方向に湾曲するように形成されている。そして、第３ダクト部５３３の他端側に向う途中の天面側には、左右方向に沿って並設される赤側冷却用流出口５３３Ａと、他端側の天面側には、左右方向に沿って並設される青側冷却用流出口５３３Ｂとが形成されている。
【００２９】
赤側冷却用流出口５３３Ａは、図２ないし図４に示すように、左側面側から第１流出口５３３Ａ１と、第２流出口５３３Ａ２と、第３流出口５３３Ａ３とを備えている。第１流出口５３３Ａ１と第２流出口５３３Ａ２とは、図示しない整流板で仕切られている。また、第２流出口５３３Ａ２と第３流出口５３３Ａ３とは、図示しない整流板で仕切られている。
第１流出口５３３Ａ１は、図２ないし図４に示すように、図示しない整流板により分流された冷却空気Ｒ１を赤色光側の液晶パネル４５１Ｒの光射出面に沿って上方向に向けて流出する（図６中の矢印Ｒ１）。
第２流出口５３３Ａ２は、図２に示すように、天面側へ向けて突出している。この第２流出口５３３Ａ２は、図６に示すように、図示しない整流板により分流された冷却空気Ｒ２を赤色光側の液晶パネル４５１Ｒの光入射面、及び入射側偏光板４５２の光射出面に沿って上方向に向けて流出する（図６中の矢印Ｒ２）。
第３流出口５３３Ａ３は、図６に示すように、図示しない整流板により分流された冷却空気Ｒ３を入射側偏光板４５２（図１参照）の光入射面に沿って上方向に向けて流出する（図６中の矢印Ｒ３）。
【００３０】
青側冷却用流出口５３３Ｂは、図２ないし図４に示すように、右側面側から第１流出口５３３Ｂ１と、第２流出口５３３Ｂ２とを備えている。第１流出口５３３Ｂ１と第２流出口５３３Ｂ２とは、図示しない整流板で仕切られている。
第１流出口５３３Ｂ１は、図６に示すように、図示しない整流板により分流された冷却空気Ｂ１を青色光側の液晶パネル４５１Ｂの光射出面に沿って上方向に向けて流出する（図６中の矢印Ｂ１）。
第２流出口５３３Ｂ２は、図６に示すように、図示しない整流板により分流された冷却空気Ｂ２を青色光側の液晶パネル４５１Ｂの光入射面、及び入射側偏光板４５２の光射出面に沿って上方向に向けて流出する（図６中の矢印Ｂ２）。
【００３１】
上述した本実施形態のプロジェクター１によれば、以下の効果がある。
本実施形態では、冷却ファン５１が投射レンズ３の側方に配設することで、各構成部材が配設されていない配設スペースを有効に活用でき、プロジェクター１の小型化を図ることができる。
また、冷却ファン５１から吐出された冷却空気は、平面視略Ｕ字状に形成された第１ダクト部５３１により液晶パネル４５１Ｇへの入射光束の光軸Ｂに対して略平行に空気を流通させた後、緑側冷却用流出口５３１Ａを介して液晶パネル４５１Ｇに送風する。そのため、冷却ファン５１から吐出された空気が液晶パネル４５１Ｇの光入射面及び光射出面に直交する方向から流れるので、液晶パネル４５１Ｇに対して傾斜して流れることがない。従って、液晶パネル４５１Ｇに対して空気を均一に流すことができる。
【００３２】
さらに、第２ダクト部５３２は、偏光変換素子４２３への入射光束の光軸に対して略平行に空気を流通させた後、流出口５３２Ａを介して偏光変換素子４２３に送風する。そのため、冷却ファン５１から吐出された空気が偏光変換素子４２３の光入射面及び光射出面に直交する方向から流れるので、偏光変換素子４２３に対して傾斜して流れることがない。従って、偏光変換素子４２３に対して空気を均一に流すことができる。
【００３３】
また、液晶パネル４５１Ｒ，４５１Ｂに対しても、液晶パネル４５１Ｇと同様に、第３ダクト部５３３により、液晶パネル４５１Ｒ，４５１Ｂへの入射光束に対して略平行に空気を流通させた後、赤側冷却用流出口５３３Ａ及び青側冷却用流出口５３３Ｂから冷却空気Ｒ１，Ｒ２，Ｂ１，Ｂ２が吐出される。従って、液晶パネル４５１Ｒ，４５１Ｂについても、液晶パネル４５１Ｇと同様に、冷却空気Ｒ１，Ｒ２，Ｂ１，Ｂ２が均一に流れ、良好に冷却できる。
さらに、液晶パネル４５１の光束入射側に配設される入射側偏光板４５２についても、液晶パネル４５１と同様に、各流出口５３１Ａ，５３３Ａ，５３３Ｂから吐出される冷却空気Ｇ２，Ｇ３，Ｒ２，Ｒ３，Ｂ２によって、良好に冷却できる
【００３４】
［実施形態の変形］
なお、本発明は前述の実施形態に限定されるものではなく、本発明の目的を達成できる範囲での変形、改良等は本発明に含まれるものである。
前記実施形態では、液晶パネル４５１Ｇの光入射面及び光射出面の両方に対して、冷却空気Ｇ１，Ｇ２を流出していたが、光入射面及び光射出面のいずれか一方でもよい。
前記実施形態では、緑側冷却用流出口５３１Ａの上方に液晶パネル４５１Ｇが配設され、緑側冷却用流出口５３１Ａから上方へ向けて冷却空気を流出していたが、緑側冷却用流出口５３１Ａの下方に液晶パネル４５１Ｇが配設してもよい。この場合には、緑側冷却用流出口５３１Ａから下方へ向けて冷却空気を流出することとなる。
【００３５】
前記実施形態では、光学ユニット４は平面視略Ｌ字形状を有した構成としたが、これに限らず、例えば、平面視略Ｕ字形状を有した構成を採用してもよい。
前記実施形態では、透過型の液晶パネル４５１を採用していたが、これに限らず、反射型の液晶パネルを採用してもよい。
【産業上の利用可能性】
【００３６】
本発明は、プレゼンテーションやホームシアターに用いられるプロジェクターに利用できる。
【符号の説明】
【００３７】
１…プロジェクター、３…投射レンズ（投射光学装置）、５…冷却装置、５１…冷却ファン、４２３…偏光変換素子（光学素子）、４５１…液晶パネル（光変調装置）、４５１Ｇ…緑色光側の液晶パネル（第１の光変調装置）、５３…ダクト、５３１…第１ダクト部（第１の送風部）、５３１Ａ…緑側冷却用流出口（第１の流出口）、５３２…第２ダクト部（第２の送風部）、５３２Ａ…流出口（第２の流出口）。
【図１】
2010224226.tif 000003
【図２】
2010224226.tif 000004
【図３】
2010224226.tif 000005
【図４】
2010224226.tif 000006
【図５】
2010224226.tif 000007
【図６】
2010224226.tif 000008